(57)【要約】【課題】造花や人造葉などの装飾体を線材又は棒材によって簡単に連結し、美観に優れた装飾品を得る。【解決手段】造花１０として構成される装飾体は、装飾部材としての花冠部材１１と、この花冠部材１１を支持固定するための軸部材としての茎部材２１とを有して構成されている。軸部材としての茎部材２１には、線材又は棒材を導通させるための開口孔２２，２３が形成されている。この開口孔２２，２３を利用して、多数の装飾体を線材又は棒材で連結することにより、美観に優れた装飾品を簡単に製作することが可能となる。【選択図】図１
0003153447.tif 000002
【実用新案登録請求の範囲】
【請求項１】
多数の装飾体を線材又は棒材で連結することによって構成される装飾品であって、
前記装飾体は、
装飾部材と、
前記装飾部材を支持固定する軸部材と、
を有し、
前記軸部材には、前記線材又は棒材を導通させるための開口孔が形成されていることを
特徴とする装飾品。
【請求項２】
請求項１に記載の装飾品において、
前記軸部材に形成される開口孔は、
前記軸部材の軸方向に貫通して形成される縦開口孔と、
前記軸部材の軸方向に直交する方向に貫通して形成される横開口孔と、
によって構成されることを特徴とする装飾品。
【請求項３】
請求項１又は２に記載の装飾品において、
前記装飾体は、造花又は人造葉であり、
前記装飾部材は、前記造花を形成する花冠部材又は前記人造葉を形成する枚葉部材とし
て構成され、
前記軸部材は、前記造花又は前記人造葉を形成する茎部材として構成されることを特徴
とする装飾品。
【請求項４】
請求項１又は２に記載の装飾品において、
前記装飾体は、造花、人造葉、人造果実、人造木の実、人造種又はリボンのうちの少な
くとも１つによって構成され、これらが単一の種類だけで、あるいは複数種類が組み合わ
された状態にて前記線材又は棒材によって多数連結されることにより、首飾り、冠、腕輪
を含む装身具として構成されることを特徴とする装飾品。
【請求項５】
多数の装飾体を線材又は棒材で連結することによって構成される装飾品に用いられる前
記装飾体であって、
装飾部材と、
前記装飾部材を支持固定する軸部材と、
を有し、
前記軸部材には、前記線材又は棒材を導通させるための開口孔が形成されていることを
特徴とする装飾体。
【請求項６】
請求項５に記載の装飾体において、
前記軸部材に形成される開口孔は、
前記軸部材の軸方向に貫通して形成される縦開口孔と、
前記軸部材の軸方向に直交する方向に貫通して形成される横開口孔と、
によって構成されることを特徴とする装飾体。
【請求項７】
請求項５又は６に記載の装飾体において、
当該装飾体は、造花又は人造葉であり、
前記装飾部材は、前記造花を形成する花冠部材又は前記人造葉を形成する枚葉部材とし
て構成され、
前記軸部材は、前記造花又は前記人造葉を形成する茎部材として構成されることを特徴
とする装飾体。
【請求項８】
請求項５又は６に記載の装飾体において、
造花、人造葉、人造果実、人造木の実、人造種又はリボンのうちの少なくとも１つによ
って構成され、これらが単一の種類だけで、あるいは複数種類が組み合わされた状態にて
前記線材又は棒材によって多数連結されることにより、首飾り、冠、腕輪を含む装身具と
しての前記装飾品を構成可能であることを特徴とする装飾体。
【考案の詳細な説明】
【技術分野】
【０００１】
本考案は、装飾品およびその装飾品を構成する装飾体に係り、例えば、造花や人造葉な
どの装飾体を線材又は棒材によって多数連結することで、首飾りや冠、腕輪などの装身具
として構成される装飾品と、その装飾品を構成する装飾体に関するものである。
【背景技術】
【０００２】
一般的に知られる造花は、布や紙、合成樹脂等といった様々な形状を表現可能な人工素
材によって製作されている。このような人工素材から成る造花を多数連結し、首飾りや冠
、腕輪などといった装身具を製作する場合には、例えば、下記特許文献１，２などに開示
されているような巻きテープや樹脂製結束部品を用いることが一般的であった。
【先行技術文献】
【特許文献】
【０００３】
【特許文献１】特開平１０−４６４１６号公報
【特許文献２】特開２００２−２２０７２０号公報
【考案の概要】
【考案が解決しようとする課題】
【０００４】
しかしながら、巻きテープや樹脂製結束部品などを用いる従来の造花の連結手段は、連
結の自由度が小さく、所望の形状を得ることが困難なものであった。特に、首飾りや冠、
腕輪などといった多数の造花を線材又は棒材によって複数連結して構成される装飾品につ
いては、花束のように単に造花を束ねるだけで完成するものではなく、従来の連結手段を
用いたのでは、美観に優れた装飾品を製作することが非常に困難であり、しかも多くの製
作時間を要してしまうという課題が存在していた。
【０００５】
本考案は、上述した従来の課題の存在に鑑みて成されたものであり、その目的は、造花
や人造葉などの装飾体を線材又は棒材によって簡単に連結することができ、しかも美観に
優れた装飾品を実現することのできる技術を提供することにある。
【課題を解決するための手段】
【０００６】
本考案に係る装飾品は、多数の装飾体を線材又は棒材で連結することによって構成され
る装飾品であって、前記装飾体は、装飾部材と、前記装飾部材を支持固定する軸部材と、
を有し、前記軸部材には、前記線材又は棒材を導通させるための開口孔が形成されている
ことを特徴とする。
【０００７】
また、本考案に係る装飾品において、前記軸部材に形成される開口孔は、前記軸部材の
軸方向に貫通して形成される縦開口孔と、前記軸部材の軸方向に直交する方向に貫通して
形成される横開口孔と、によって構成することができる。
【０００８】
さらに、本考案に係る装飾品において、前記装飾体は、造花又は人造葉であり、前記装
飾部材は、前記造花を形成する花冠部材又は前記人造葉を形成する枚葉部材として構成し
、前記軸部材は、前記造花又は前記人造葉を形成する茎部材として構成することができる
。
【０００９】
またさらに、本考案に係る装飾品において、前記装飾体は、造花、人造葉、人造果実、
人造木の実、人造種又はリボンのうちの少なくとも１つによって構成され、これらが単一
の種類だけで、あるいは複数種類が組み合わされた状態にて前記線材又は棒材によって多
数連結されることにより、首飾り、冠、腕輪を含む装身具として構成することができる。
【００１０】
本考案に係る装飾体は、多数の装飾体を線材又は棒材で連結することによって構成され
る装飾品に用いられる前記装飾体であって、装飾部材と、前記装飾部材を支持固定する軸
部材と、を有し、前記軸部材には、前記線材又は棒材を導通させるための開口孔が形成さ
れていることを特徴とする。
【００１１】
また、本考案に係る装飾体において、前記軸部材に形成される開口孔は、前記軸部材の
軸方向に貫通して形成される縦開口孔と、前記軸部材の軸方向に直交する方向に貫通して
形成される横開口孔と、によって構成することができる。
【００１２】
さらに、本考案に係る装飾体において、当該装飾体は、造花又は人造葉であり、前記装
飾部材は、前記造花を形成する花冠部材又は前記人造葉を形成する枚葉部材として構成し
、前記軸部材は、前記造花又は前記人造葉を形成する茎部材として構成することができる
。
【００１３】
またさらに、本考案に係る装飾体は、造花、人造葉、人造果実、人造木の実、人造種又
はリボンのうちの少なくとも１つによって構成され、これらが単一の種類だけで、あるい
は複数種類が組み合わされた状態にて前記線材又は棒材によって多数連結されることによ
り、首飾り、冠、腕輪を含む装身具としての前記装飾品を構成可能とすることができる。
【考案の効果】
【００１４】
本考案によれば、造花や人造葉などの装飾体を線材又は棒材によって簡単に連結するこ
とができ、しかも美観に優れた装飾品を実現することができる。
【図面の簡単な説明】
【００１５】
【図１】本実施形態に係る装飾体の採り得る一形態を示す外観斜視図である。
【図２】本実施形態に係る装飾体の具体的構成を説明するための分解斜視図である。
【図３】本実施形態に係る装飾体が有する縦開口孔と横開口孔の利用態様を説明するための図である。
【図４】本考案に係る装飾体が人造葉として構成された場合の形態を例示する外観斜視図である。
【図５】本考案に係る装飾品が首飾りとして構成された場合の形態を例示する外観斜視図である。
【考案を実施するための形態】
【００１６】
以下、本考案を実施するための好適な実施形態について、図面を用いて説明する。なお
、以下の実施形態は、各請求項に係る考案を限定するものではなく、また、実施形態の中
で説明されている特徴の組み合わせの全てが考案の解決手段に必須であるとは限らない。
【００１７】
図１は、本実施形態に係る装飾体の採り得る一形態を示す外観斜視図である。また、図
２は、本実施形態に係る装飾体の具体的構成を説明するための分解斜視図である。なお、
本実施形態に係る装飾体は、造花として構成される場合を例示するものである。
【００１８】
本実施形態に係る装飾体としての造花１０は、装飾部材としての花冠部材１１と、この
花冠部材１１を支持固定するための軸部材としての茎部材２１とを有して構成されている
。
【００１９】
茎部材２１は、樹脂材料から構成される軸形状を有した部材であり、上方先端部分には
茎部材２１の周方向に張り出した傘形状２１ａが形成されている。この傘形状２１ａは、
後述する花冠部材１１を構成する複数の部材を係止する役割を担っている。なお、図１お
よび図２で例示する本実施形態に係る茎部材２１の傘形状２１ａは、傘形状２１ａを係止
する機能を発揮することのみを考慮した単純な形状とされているが、この箇所に雌しべや
雄しべ等の装飾を施すことにより、より美観や装飾性に優れた造花１０を実現することが
できる。
【００２０】
一方、花冠部材１１は、３枚の人造花弁１１ａ，１１ｃ，１１ｅと、これらを茎部材２
１に対して確実に係止するための３個のストッパー部材１１ｂ，１１ｄ，１１ｆとから構
成されている。３枚の人造花弁１１ａ，１１ｃ，１１ｅは、例えば布や紙などの人工素材
に対して所望の着色が施された部材であり、３枚それぞれが折り重ねられて茎部材２１に
対して設置されることにより、現実の花冠やつぼみのような形態を実現することが可能と
なっている。３個のストッパー部材１１ｂ，１１ｄ，１１ｆは、例えば無色透明の合成樹
脂などの人工素材によって構成されており、人造花弁１１ａ，１１ｃ，１１ｅの形状を創
出しながらも茎部材２１に対する人造花弁１１ａ，１１ｃ，１１ｅの係止状態を維持する
機能を有している。また、この人造花弁１１ａ，１１ｃ，１１ｅは、現実の花において花
弁の外側に形成された萼のような形態にて形成することにより、さらに美観や装飾性に優
れた造花１０を実現することが可能となる。
【００２１】
さらに、３枚の人造花弁１１ａ，１１ｃ，１１ｅと３個のストッパー部材１１ｂ，１１
ｄ，１１ｆの全てには、茎部材２１に対して嵌め込むための開口孔が形成されている。こ
の開口孔は、茎部材２１における軸本体部２１ｂの外径と比べてほぼ同じか若干小さい径
にて形成されており、人造花弁１１ａ，１１ｃ，１１ｅやストッパー部材１１ｂ，１１ｄ
，１１ｆが茎部材２１に対してスムーズに嵌め込み可能であるとともに、これらが嵌め込
まれた後でも容易に脱落しないように構成されている。
【００２２】
なお、本実施形態に係る装飾体としての造花１０の製造方法は、まず、茎部材２１に対
して第一の人造花弁１１ａを嵌め込んだ後、カップ形状をした第一のストッパー部材１１
ｂを嵌め込むことで花冠部材１１における最中心部の花弁が形成される。続いて、茎部材
２１に対して第二の人造花弁１１ｃを嵌め込んだ後、萼形状をした第二のストッパー部材
１１ｄを嵌め込む。このとき、第二のストッパー部材１１ｄは、カップ形状をした第一の
ストッパー部材１１ｂよりも開かれた開放形状をしているので、この第二のストッパー部
材１１ｄによって形状を創出される第二の人造花弁１１ｃは、花冠部材１１における中間
部の花弁として形成されることとなる。さらに引き続き、茎部材２１に対して第三の人造
花弁１１ｅを嵌め込んだ後、萼形状をした第三のストッパー部材１１ｆを嵌め込む。第三
のストッパー部材１１ｆは、花冠部材１１全体の形状を決定する形状を有しているととも
に、現実の花の萼に近似した形状を有している。これにより、第三の人造花弁１１ｅが花
冠部材１１における最も外側の花弁を形成し、美観や装飾性に優れた造花１０が完成する
こととなる。
【００２３】
本実施形態に係る装飾体としての造花１０は、上述したような基本的構成を有している
が、さらに特徴的な形態として、茎部材２１に対して複数の開口孔が形成されているとい
う有意な特徴を有している。すなわち、本実施形態に係る茎部材２１には、茎部材２１の
軸方向に貫通して形成される縦開口孔２２と、茎部材２１の軸方向に直交する方向に貫通
して形成される横開口孔２３とが形成されている。これら２つの開口孔２２，２３は、装
飾体としての造花１０を多数連結して用いる際に利用されるものであり、図３に例示する
ように、縦開口孔２２については造花１０に対して符号αにて指示される糸等の線材を軸
方向に貫通させることができるようになっており、横開口孔２３については、茎部材２１
の軸方向に直交する方向に対して符号βにて指示される糸等の線材を貫通させることがで
きるようになっている。したがって、本実施形態に係る装飾体としての造花１０は、従来
技術に比べて非常に容易に連結できるようになっているので、多数の造花を連結して製造
される首飾りや冠、腕輪などの装身具を容易に製作することが可能となっている。
【００２４】
なお、図１〜図３を用いて例示した本実施形態では、装飾体を造花１０として構成した
場合を例示して説明したが、本考案の適用範囲は造花１０のみには限られず、例えば、図
４にて示すような人造葉４０として構成することも可能である。この場合、造花１０を形
成する際に花冠部材１１として形成された装飾部材については、人造葉４０を形成する枚
葉部材４１として構成し、軸部材については、造花１０の場合と同様の茎部材２１を採用
することによって、人造葉４０を得ることができる。このような人造葉４０の場合にも、
茎部材２１に形成された縦開口孔２２と横開口孔２３とを利用することで、非常に容易に
多数の人造葉４０を連結することが可能となる。
【００２５】
以上説明した造花１０や人造葉４０を、茎部材２１に形成された縦開口孔２２と横開口
孔２３とを利用して多数連結することで、図５に例示するような首飾り５０を形成するこ
とができる。また、このような首飾り５０を形成する際に、様々な種類の装飾体（造花１
０や人造葉４０など）を組み合わせることで、美観に優れた装飾品を実現することができ
る。このような首飾り５０の製作に際しても、茎部材２１に形成された縦開口孔２２と横
開口孔２３との効果によって、非常に容易に装飾体を連結できる。また、縦開口孔２２と
横開口孔２３という２種類の開口孔の存在によって、多数連結を行う際の装飾体の方向性
に高い自由度が得られるので、あらゆるデザインの装飾品を簡単に製作できるという効果
を得ることができる。
【００２６】
以上、本考案の好適な実施形態について説明したが、本考案の技術的範囲は上記実施形
態に記載の範囲には限定されない。上記実施形態には、多様な変更又は改良を加えること
が可能である。
【００２７】
上述した実施形態では、装飾体としての具体例として造花１０および人造葉４０を示し
たが、装飾体の採り得る形態は造花１０や人造葉４０のみには限られない。例えば、本考
案に係る装飾体は、造花１０や人造葉４０のほか、人造果実、人造木の実、人造種、リボ
ンなどのようなものとすることができる。
【００２８】
また、図５で示した本実施形態に係る装飾品としての首飾り５０は、造花１０と人造葉
４０を組み合わせたものであったが、本考案に係る装飾品は、単一の種類の装飾体だけで
構成されても良いし、複数種類の装飾体が組み合わされて構成されても良い。
【００２９】
さらに、上述した実施形態では、茎部材２１に形成された縦開口孔２２と横開口孔２３
に対して糸等の線材を貫通させた場合を例示して説明したが、装飾体を多数連結する手段
については、線材のほか、棒材等も採用することができる。また、線材や棒材の種類につ
いても、あらゆるものを採用することができ、例えば、線材については、糸やチェーン、
ワイヤー、紙縒りなどを採用することができ、棒材については、金属棒や木製棒、樹脂棒
、セラミック棒などを採用することができる。
【００３０】
またさらに、上述したような様々な形態や素材によって形成された装飾体を様々な組み
合わせにて多数連結することにより、首飾りや冠、腕輪などを含む様々な装身具として本
考案に係る装飾品を構成することが可能である。
【００３１】
その様な変更又は改良を加えた形態も本考案の技術的範囲に含まれ得ることが、実用新
案登録請求の範囲の記載から明らかである。
【符号の説明】
【００３２】
１０  造花、１１  花冠部材、１１ａ  第一の人造花弁、１１ｂ  第一のストッパー部
材、１１ｃ  第二の人造花弁、１１ｄ  第二のストッパー部材、１１ｅ  第三の人造花弁
、１１ｆ  第三のストッパー部材、２１  茎部材、２１ａ  傘形状、２１ｂ  軸本体部、
２２  縦開口孔、２３  横開口孔、４０  人造葉、４１  枚葉部材、５０  首飾り。
【図１】
0003153447.tif 000003
【図２】
0003153447.tif 000004
【図３】
0003153447.tif 000005
【図４】
0003153447.tif 000006
【図５】
0003153447.tif 000007